(57)【要約】      （修正有）【課題】着脱容易な浴室用カウンターの取付構造を提供する。【解決手段】浴室の壁面に固定されるブラケット３０と、ブラケットに対して着脱可能に取り付けられるカウンター１０とを備え、カウンターは、前端部１２ａ及び後端部１２ｂを有し、物が載置される載置部１１と、載置部の後端部から下方に延びる第１突出部１３と、第１突出部よりも前端部側において、載置部から下方に延びる第２突出部１５とを有し、ブラケットは、上方に延びる上方突出部３１を有し、第１突出部と第２突出部との間には、上方突出部が挿入される第１凹部１４が形成され、上方突出部よりも壁面側には、上方に開口して第１突出部が挿入される第２凹部３３が形成され、第２凹部に第１突出部を挿入した状態で、載置部の前端部を下方に移動させることで、カウンターをブラケットに取り付ける。【選択図】図４
2020178924.tif 000002
【特許請求の範囲】
【請求項１】
浴室の壁面に固定されるブラケットと、
前記ブラケットに対して着脱可能に取り付けられるカウンターと、
を備え、
前記カウンターは、
前端部及び後端部を有し、物が載置される載置部と、
前記載置部の前記後端部から下方に延びる第１突出部と、
前記第１突出部よりも前記前端部側において、前記載置部から下方に延びる第２突出部と、
を有し、
前記ブラケットは、上方に延びる上方突出部を有し、
前記第１突出部と前記第２突出部との間には、前記上方突出部が挿入される第１凹部が形成され、
前記上方突出部よりも前記壁面側には、上方に開口して前記第１突出部が挿入される第２凹部が形成され、
前記第２凹部に前記第１突出部を挿入した状態で、前記載置部の前記前端部を下方に移動させることで、前記カウンターを前記ブラケットに取り付ける、浴室用カウンターの取付構造。
【請求項２】
前記ブラケットは、下端部において下方に延びる第１係合部を有し、
前記カウンターの前記第２突出部は、前記第１係合部と係合する第２係合部を有し、
前記ブラケットに前記カウンターが取り付けられた状態において、前記第２係合部は、前記第１係合部よりも前記壁面側に配置される、請求項１に記載の浴室用カウンターの取付構造。
【請求項３】
前記ブラケットは、下方に付勢する弾性部材を下端部に有し、
前記第１係合部は、前記弾性部材の下面に形成される、請求項２に記載の浴室用カウンターの取付構造。
【請求項４】
前記第１突出部において前記上方突出部と接する面は、前記壁面側に向かうに従い下方に傾斜する、請求項１から３のいずれか一項に記載の浴室用カウンターの取付構造。
【請求項５】
前記上方突出部において前記第１突出部と接する面は、前記壁面側に向かうに従い下方に傾斜する、請求項４に記載の浴室用カウンターの取付構造。
【請求項６】
前記第１突出部は、側面視で球面状に形成された曲面を有する、請求項１から５のいずれか一項に記載の浴室用カウンターの取付構造。
【請求項７】
前記第２突出部において前記ブラケットに接する面は、前記壁面側に向かうに従い下方に傾斜し、
前記ブラケットにおいて前記第２突出部に接する面は、前記壁面側に向かうに従い下方に傾斜する、請求項１から６のいずれか一項に記載の浴室用カウンターの取付構造。
【請求項８】
前記ブラケットに前記カウンターが取り付けられた状態において、前記載置部と前記壁面との間には、隙間が形成される、請求項１から７のいずれか一項に記載の浴室用カウンターの取付構造。
【請求項９】
前記載置部の上面は、前記ブラケットに前記カウンターが取り付けられた状態において、前記載置部の前記前端部から前記後端部に向かうに従い下方に傾斜する、請求項１から８のいずれか一項に記載の浴室用カウンターの取付構造。
【請求項１０】
前記カウンターの側面を覆うキャップ部をさらに備え、
前記キャップ部は、前記カウンターの内側に向けて延びるリブを有し、
前記リブは、前記ブラケットに対して前記カウンターの位置決めをする、請求項１から９のいずれか一項に記載の浴室用カウンターの取付構造。
【発明の詳細な説明】
【技術分野】
【０００１】
本発明は、浴室用カウンターの取付構造に関する。
【背景技術】
【０００２】
近年、浴室用カウンターには、例えば、特許文献１に記載されているものが知られている。特許文献１に開示された浴室用カウンターでは、浴室の洗い場において洗面器置き台が着脱可能に設けられる。
【先行技術文献】
【特許文献】
【０００３】
【特許文献１】特開２００２−１３６４４１号公報
【発明の概要】
【発明が解決しようとする課題】
【０００４】
しかしながら、特許文献１の浴室用カウンターにおいては、カウンターの着脱を容易に行うという観点において未だ改善の余地がある。
【０００５】
従って、本発明の目的は、前記課題を解決することにあって、着脱容易な浴室用カウンターの取付構造を提供することにある。
【課題を解決するための手段】
【０００６】
上記目的を達成するために、本発明の一態様の浴室用カウンターの取付構造は、浴室の壁面に固定されるブラケットと、ブラケットに対して着脱可能に取り付けられるカウンターと、を備え、カウンターは、前端部及び後端部を有し、物が載置される載置部と、載置部の後端部から下方に延びる第１突出部と、第１突出部よりも前端部側において、載置部から下方に延びる第２突出部と、を有し、ブラケットは、上方に延びる上方突出部を有し、第１突出部と第２突出部との間には、上方突出部が挿入される第１凹部が形成され、上方突出部よりも壁面側には、上方に開口して第１突出部が挿入される第２凹部が形成され、第２凹部に第１突出部を挿入した状態で、載置部の前端部を下方に移動させることで、カウンターをブラケットに取り付ける。
【発明の効果】
【０００７】
本発明に係る浴室用カウンターの取付構造によれば、着脱容易な浴室用カウンターの取付構造を提供できる。
【図面の簡単な説明】
【０００８】
【図１】本発明に係る実施形態の浴室の概略平面図
【図２】本発明に係る実施形態の浴室の概略正面図
【図３】本発明に係る実施形態のカウンターの分解斜視図
【図４】本発明に係る実施形態のカウンターを壁面から取り外した状態を示す側面図
【図５】本発明に係る実施形態のカウンターを壁面に取り付けた状態を示す縦断面図
【図６】本発明に係る実施形態のカウンターを壁面から取り外した状態を示す後方斜視図
【図７】本発明に係る実施形態のカウンターの壁面への取付方法を示す側面図
【図８】本発明に係る実施形態のカウンターを壁面に取り付けた状態を示す側面図
【発明を実施するための形態】
【０００９】
（本発明の基礎となった知見）
本発明者らは、着脱容易な浴室用カウンターの取付構造を提供するために鋭意検討した結果、以下の知見を得た。
【００１０】
従来のカウンターには、壁面に設けられた支持材を挿入するための穴が後部に設けられる。また、壁面において、当該支持材の両側方には、洗面器置き台を載置する載置用の支持材が設けられる。壁面へのカウンターの取付は、カウンターの穴に壁面の支持材を挿入して、洗面器置き台を載置用の支持材に載置することによって行われる。
【００１１】
しかしながら、従来のカウンターにおいては、カウンターの穴が後部に設けられているため、カウンターの穴を見ながら当該穴に支持材を挿入することができず、壁面へのカウンターの着脱が困難となり得る。
【００１２】
これに対して、本発明者らは、上方に開口した凹部を有するブラケットを壁面に固定し、カウンターの後端部に形成した突出部を当該凹部に挿入してカウンターを壁面に取り付ける構造を見出した。これにより、ブラケットの凹部を上方から確認しながら、カウンターの突出部を当該凹部に挿入することができるため、壁面へのカウンターの着脱を容易に行うことができることを見出した。
【００１３】
これらの新規な知見に基づき、本発明者らは、以下の発明に至った。
【００１４】
以下に、本発明に係る実施形態を図面に基づいて詳細に説明する。なお、この実施形態によって本発明が限定されるものではない。
【００１５】
また、以下の図面において、Ｘ方向は、本発明の実施形態に係るカウンター１０の前後方向を示す。Ｙ方向は、Ｘ方向に直交する方向であって、カウンター１０の幅方向を示す。Ｚ方向は、Ｘ方向及びＹ方向に直交する鉛直方向を示す。
【００１６】
（実施形態）
図１は、本実施形態の浴室１の概略平面図である。図２は、浴室１の概略正面図である。図１及び図２に示すように、本実施形態のカウンター１０は、浴室１内の壁面３に取り付けられる。カウンター１０は、例えば、浴槽５の側方に設けられる水栓７の上方に取り付けられる。カウンター１０には、例えば、石けん、シャンプーボトル等の小物が載置される。
【００１７】
図３は、カウンター１０の分解斜視図である。図３に示すように、壁面３には、ブラケット３０が固定される。ブラケット３０は、カウンター１０を壁面３に取り付けるための部材である。本実施形態のブラケット３０は、壁面３に複数個（例えば２個）、Ｙ方向に互いに間隔を空けて取り付けられる。カウンター１０は、ブラケット３０に対して着脱可能に取り付けられる。
【００１８】
次に、図４〜図６を用いてカウンター１０について詳細に説明する。図４は、ブラケット３０にカウンター１０を取り付ける前の状態を示す側面図である。図５は、ブラケット３０にカウンター１０が取り付けられた状態を示す縦断面図である。図６は、ブラケット３０にカウンター１０が取り付けられた状態を示す後方斜視図である。
【００１９】
図４に示すように、カウンター１０は、物が載置される載置部１１と、第１突出部１３と、第２突出部１５とを備える。カウンター１０は、例えば、基材を発泡ＡＢＳ樹脂、表層をアクリル樹脂（ＰＭＭＡ）によって形成される。
【００２０】
載置部１１は、前端部１２ａ及び後端部１２ｂを有する。前端部１２ａは、壁面３から離れる方向、すなわち前方側（＋Ｘ方向）の載置部１１の端部を示す。後端部１２ｂは、壁面３側、すなわち後方側（−Ｘ方向）の載置部１１の端部を示す。載置部１１の上面には、物を載置するための載置面１１ａが形成される。載置部１１は、例えば平板状に形成される。載置面１１ａは、例えば平面状に形成される。
【００２１】
第１突出部１３は、載置部１１の後端部１２ｂから下方に延びる。第１突出部１３は、傾斜面１３ａ及び曲面１３ｂを有する。
【００２２】
傾斜面１３ａは、第１突出部１３の前方側の面に形成される。傾斜面１３ａは、壁面３側に向かうに従い下方に傾斜する。
【００２３】
曲面１３ｂは、側面視で球面状に形成される。曲面１３ｂは、第１突出部１３の後方側の面に形成される。本実施形態では、曲面１３ｂは、傾斜面１３ａの下端部と載置部１１の後端部１２ｂとを接続する面である。
【００２４】
第２突出部１５は、第１突出部１３よりも前端部１２ａ側において、載置部１１から下方に延びる。図５に示すように、本実施形態の第２突出部１５は、ブラケット３０の下端部よりも下方に延びる。第２突出部１５の後方側の面には、傾斜面１５ａが形成される。傾斜面１５ａは、後方に向かうに従い下方に傾斜する。
【００２５】
本実施形態では、第２突出部１５は、後方に延びる後方突出部１７を有する。後方突出部１７は、例えば第２突出部１５の下端部に形成される。後方突出部１７の上面には、上方に延びる係合部１７ａが設けられる。係合部１７ａは、例えば、上方に突出する突起である。
【００２６】
第１突出部１３と第２突出部１５との間には、第１凹部１４が形成される。本実施形態では、第１凹部１４は、第１突出部１３と第２突出部１５との間で幅方向（Ｙ方向）に延びる溝である。
【００２７】
図６に示すように、カウンター１０の側面には、キャップ部１９が取り付けられる。キャップ部１９は、カウンター１０の幅方向両側方を覆う部材である（図３）。キャップ部１９は、例えば、耐薬品性ＡＢＳ樹脂によって形成される。
【００２８】
カウンター１０の両側方のキャップ部１９は、それぞれ、カウンター１０の内側に向けて延びるリブ１９ａを有する。リブ１９ａは、ブラケット３０と当接可能に設けられる。リブ１９ａは、ブラケット３０へのカウンター１０の取付の際、ブラケット３０に対するカウンター１０の位置決めをする。
【００２９】
次に、図４及び図５を用いてブラケット３０について詳細に説明する。
【００３０】
図４に示すように、ブラケット３０は、上方突出部３１を有する。上方突出部３１は、ブラケット３０の前端部（＋Ｘ方向の端部）から上方に延びる。上方突出部３１は、壁面３側の面において傾斜面３５を有する。傾斜面３５は、後方に向かうに従い下方に傾斜する。ブラケット３０は、例えばＰＰ＋ＧＦ２０％で形成される。
【００３１】
上方突出部３１と壁面３との間には、上方に開口する第２凹部３３が形成される。第２凹部３３は、例えば、上方突出部３１と壁面３との間で幅方向に延びる溝である。
【００３２】
ブラケット３０の前方側の面には、傾斜面３６が形成される。傾斜面３６は、後方に向かうに従い下方に傾斜する。
【００３３】
図５に示すように、ブラケット３０の下端部には、下方に付勢する弾性部材３７が形成される。弾性部材３７は、例えば板ばねである。本実施形態では、弾性部材３７は、後方に湾曲した湾曲部３７ａと、湾曲部３７ａの下端部から前方に延びる板ばね部３７ｂとを有する。板ばね部３７ｂの下面には、下方に延びる係合部３８が形成される。係合部３８は、例えば、下方に突出する突起である。係合部３８（板ばね部３７ｂ）は、ブラケット３０の下端部において上下方向に移動可能に形成される。
【００３４】
次に、ブラケット３０にカウンター１０が取り付けられた状態について説明する。
【００３５】
載置部１１と壁面３との間には、隙間Ｓ１が形成される。本実施形態では、隙間Ｓ１は、カウンター１０の着脱の際に載置部１１が回動できるように形成される。
【００３６】
載置部１１の上面（載置面１１ａ）は、載置部１１の前端部１２ａから後端部１２ｂに向かうに従い下方に傾斜する。
【００３７】
上方突出部３１は、カウンター１０の第１凹部１４に挿入される。第２凹部３３には、カウンター１０の第１突出部１３が挿入される。傾斜面３５は、第１突出部１３の傾斜面１３ａと接する。傾斜面３６は、第２突出部１５の傾斜面１５ａと接する。図４に示す、鉛直方向（Ｚ方向）に対する傾斜面１３ａの傾斜角度θ１、傾斜面１５ａの傾斜角度θ２、傾斜面３５の傾斜角度θ３、及び傾斜面３６の傾斜角度θ４は、例えば、５度以上４５度以下である。本実施形態では、傾斜角度θ１，θ２，θ３，θ４は、同じ角度で形成される。
【００３８】
本実施形態では、上方突出部３１と第１凹部１４（載置部１１）との間には、空間Ｓ２が形成される。すなわち、本実施形態では、カウンター１０は、上方突出部３１の上面で支持されるのではなく、傾斜面３５，３６で支持される。具体的には、カウンター１０において、傾斜面１３ａが上方突出部３１の傾斜面３５で支持され、第２突出部１５の傾斜面１５ａがブラケット３０の前面の傾斜面３６で支持される。
【００３９】
カウンター１０の係合部（第２係合部）１７ａは、ブラケット３０の係合部（第１係合部）３８よりも壁面３側に配置される。係合部１７ａ及び係合部３８は、例えば前後方向（Ｘ方向）に係合する。
【００４０】
次に、図７及び図８を用いて、ブラケット３０に対するカウンター１０の取り付け方法について説明する。図７及び図８は、ブラケット３０及びカウンター１０の側面図である。
【００４１】
カウンター１０をブラケット３０の上方に移動させて、ブラケット３０の第２凹部３３に対して斜め上方からカウンター１０の第１突出部１３を挿入し、ブラケット３０の上方突出部３１を、カウンター１０の第１凹部１４に挿入する（図７）。このとき、カウンター１０は、リブ１９ａをブラケット３０に当接させることで、幅方向の位置決めが行われる。
【００４２】
さらに、第２凹部３３に第１突出部１３が挿入された状態で、載置部１１の前端部１２ａを下方に移動させる。具体的には、第１突出部１３における曲面１３ｂの曲率中心Ｃ１を中心に、前端部１２ａを下方（図７のＲ１方向）に回動させる。
【００４３】
前端部１２ａの回動によって、第２突出部１５の係合部１７ａがブラケット３０の係合部３８に当接した後、さらに前端部１２ａを回動させることで、係合部３８（弾性部材３７）は、上方に移動する。これにより、係合部１７ａは、係合部３８を乗り越えて壁面３側に移動する。この結果、カウンター１０は、ブラケット３０を介して壁面３に取り付けられる。
【００４４】
次に、ブラケット３０に対するカウンター１０の取り外し方法について説明する。図８に示す取付状態から、載置部１１の前端部１２ａを、曲率中心Ｃ１を中心に上方に回動させる。前端部１２ａの回動によって、第２突出部１５の係合部１７ａがブラケット３０の係合部３８に当接した後、さらに前端部１２ａを回動させることで、係合部３８（弾性部材３７）は、上方に移動する。これにより、図７に示すように、係合部１７ａは、係合部３８を乗り越えて、係合部３８よりも前方側に移動する。さらに、カウンター１０を上方に移動させて、第１突出部１３を第２凹部３３から抜き去ることで、カウンター１０を取り外す。
【００４５】
［効果］
実施形態に係る浴室用カウンター１０の取付構造によれば、以下の効果を奏することができる。
【００４６】
浴室用カウンターの取付構造は、浴室１の壁面３に固定されるブラケット３０と、ブラケット３０に対して着脱可能に取り付けられるカウンター１０とを備える。カウンター１０は、物が載置される載置部１１と、第１突出部１３と、第２突出部１５とを有する。載置部１１は、前端部１２ａ及び後端部１２ｂを有する。第１突出部１３は、載置部１１の後端部１２ｂから下方に延びる。第２突出部１５は、第１突出部１３よりも前端部１２ａ側において、載置部１１から下方に延びる。ブラケット３０は、上方に延びる上方突出部３１を有する。第１突出部１３と第２突出部１５との間には、上方突出部３１が挿入される第１凹部１４が形成される。上方突出部３１よりも壁面３側には、上方に開口して第１突出部１３が挿入される第２凹部３３が形成される。第２凹部３３に第１突出部１３を挿入した状態で、載置部１１の前端部１２ａを下方に移動させることで、カウンター１０をブラケット３０に取り付ける。
【００４７】
これにより、上方に開口した第２凹部３３を確認しながら、第２凹部３３に第１突出部１３を挿入することができる。さらに、第２凹部３３に第１突出部１３を挿入した状態で、載置部１１の前端部１２ａを上下に移動させることにより、ブラケット３０に対してカウンター１０を容易に着脱することができる。また、カウンター１０を固定するために別部材を用いることなく、カウンター１０をブラケット３０に対してワンタッチで着脱することができる。
【００４８】
また、ブラケット３０は、下端部において下方に延びる第１係合部３８を有する。カウンター１０の第２突出部１５は、第１係合部３８と係合する第２係合部１７ａを有する。ブラケット３０にカウンター１０が取り付けられた状態において、第２係合部１７ａは、第１係合部３８よりも壁面３側に配置される。
【００４９】
これにより、第１係合部３８と第２係合部１７ａとが前後方向に係合するため、カウンター１０がブラケット３０から脱落することを防止できる。
【００５０】
また、ブラケット３０は、下方に付勢する弾性部材３７を下端部に有する。第１係合部３８は、弾性部材３７の下面に形成される。
【００５１】
これにより、弾性部材３７によって第１係合部３８が上方に移動できるため、第２係合部１７ａが第１係合部３８を乗り越えることができる。このため、ブラケット３０へのカウンター１０の着脱をより容易に行うことができる。
【００５２】
また、第１突出部１３において上方突出部３１と接する面は、壁面３側に向かうに従い下方に傾斜する。
【００５３】
これにより、第１突出部１３において上方突出部３１と接する面が傾斜することで、第１突出部１３を第２凹部３３に容易に挿入することができる。また、傾斜面１３ａにより、清掃性を向上させることができる。
【００５４】
また、上方突出部３１において第１突出部１３と接する面は、壁面３側に向かうに従い下方に傾斜する。
【００５５】
これにより、第１突出部１３と上方突出部と３１を傾斜面３５で当接（面接触）させることで、ブラケット３０に対してカウンター１０を面で支持することができる。これにより、ブラケット３０に対してカウンター１０をより確実に支持することができる。
【００５６】
また、第１突出部１３は、側面視で球面状に形成された曲面１３ｂを有する。
【００５７】
これにより、球面状の曲面１３ｂによって、第１突出部１３を中心に載置部１１をより容易に（スムーズに）回動させることができる。
【００５８】
また、第２突出部１５においてブラケット３０に接する面は、壁面３側に向かうに従い下方に傾斜する。ブラケット３０において第２突出部１５に接する面は、壁面３側に向かうに従い下方に傾斜する。
【００５９】
これにより、第２突出部１５と上方突出部３１とを傾斜面１５ａ，３６で当接（面接触）させることで、ブラケット３０に対してカウンター１０を面で支持することができる。これにより、ブラケット３０に対してカウンター１０をより確実に支持することができる。
【００６０】
また、ブラケット３０にカウンター１０が取り付けられた状態において、載置部１１と壁面３との間には、隙間Ｓ１が形成される。
【００６１】
これにより、隙間Ｓ１によって、載置部１１の回動可能な範囲を広げることができるため、第１突出部１３を中心に載置部１１をより容易に回動させることができる。さらに、隙間Ｓ１を通じて水を下方に落とすことができるため、載置部１１の後端部１２ｂの防汚性を向上させることができる。
【００６２】
また、載置部１１の上面１１ａは、ブラケット３０にカウンター１０が取り付けられた状態において、載置部１１の前端部１２ａから後端部１２ｂに向かうに従い下方に傾斜する。
【００６３】
これにより、載置部１１の上面１１ａの水を壁面３側に流すことができる。このため、載置部１１の上面に水が溜まることを防止できる。
【００６４】
また、カウンター１０の側面を覆うキャップ部１９をさらに備える。キャップ部１９は、カウンター１０の内側に向けて延びるリブ１９ａを有する。リブ１９ａは、ブラケット３０に対してカウンター１０の位置決めをする。
【００６５】
これにより、キャップ部１９のリブ１９ａによって、カウンター１０の位置決めを容易に行うことができる。また、キャップ部１９により、カウンター１０の内側や、壁面３に固定されたブラケット３０の側面等を隠すことができるため、意匠性を向上させることができる。また、カウンター１０の側方から水が入るのを防止することができる。
【００６６】
なお、本発明は前記実施形態に限定されるものではなく、その他種々の態様で実施できる。前記実施形態では、カウンター１０は傾斜面１３ａ，１５ａを有し、ブラケット３０は、傾斜面３５，３６を有するとしたが、これに限定されない。傾斜面１３ａ，１５ａ，３５，３６は、傾斜していなくてもよい。すなわち、傾斜面１３ａ，１５ａ，３５，３６は、鉛直方向に延びていてもよい。
【００６７】
また、カウンター１０は、上方突出部３１の上面で支持されるのではなく、傾斜面３５，３６で支持されるとしたが、これに限定されない。カウンター１０は、例えば、上方突出部３１の上面で支持されていてもよい。
【００６８】
また、カウンター１０は、浴槽５の側方に設けられる水栓７の上方に取り付けられるとしたが、浴室１の壁面３に取り付けられていれば、他の場所であってもよい。
【００６９】
また、傾斜角度θ１，θ２，θ３，θ４は、同じ角度で形成されるとしたが、傾斜角度θ１，θ２，θ３，θ４は、それぞれ異なる角度で形成されていてもよい。
【００７０】
また、本実施形態に記載のカウンター１０、キャップ部１９、及びブラケット３０の材料は、一例であって、他の材料によって形成されていてもよい。
【００７１】
本発明は、添付図面を参照しながら好ましい実施形態に関連して充分に記載されているが、この技術の熟練した人々にとっては種々の変形や修正は明白である。そのような変形や修正は、添付した特許請求の範囲による本発明の範囲から外れない限りにおいて、その中に含まれると理解されるべきである。また、実施形態における要素の組み合わせや順序の変化は、本発明の範囲および思想を逸脱することなく実現し得るものである。
【産業上の利用可能性】
【００７２】
本発明に係る浴室用カウンターの取付構造は、浴室内の壁面にカウンターを取り付ける場合に有用である。
【符号の説明】
【００７３】
１  浴室
３  壁面
５  浴槽
７  水栓
１０  カウンター
１１  載置部
１１ａ  載置面
１２ａ  前端部
１２ｂ  後端部
１３  第１突出部
１３ａ  傾斜面
１３ｂ  曲面
１４  第１凹部
１５  第２突出部
１５ａ  傾斜面
１７  後方突出部
１７ａ  係合部（第２係合部）
１９  キャップ部
１９ａ  リブ
３０  ブラケット
３１  上方突出部
３３  第２凹部
３５，３６  傾斜面
３７  弾性部材
３７ａ  湾曲部
３７ｂ  板ばね部
３８  係合部（第１係合部）
Ｓ１  隙間
Ｓ２  空間
【図１】
2020178924.tif 000003
【図２】
2020178924.tif 000004
【図３】
2020178924.tif 000005
【図４】
2020178924.tif 000006
【図５】
2020178924.tif 000007
【図６】
2020178924.tif 000008
【図７】
2020178924.tif 000009
【図８】
2020178924.tif 000010